(57)【要約】【課題】側面発光型光ファイバー及び合成樹脂フィラメント等を用いて製織された織物、及びこの織物を用いた表皮材の製造方法を提供する。【解決手段】第１構成糸の一部が並列に織り込まれた側面発光型光ファイバー３であり、一重織部１１（１１ａ、１１ｂ、１２）と複数の袋織部２とを具備し、側面発光型光ファイバーは、袋織部を構成する一方の織布及び他方の織布に織り込まれていない。また、袋織部は、第１構成糸が織り込まれた方向において対向して位置する袋織部を備え、この袋織部は、第２構成糸が織り込まれた方向に複数組設けられている。更に、対向して位置する袋織部の各々の袋織部の間には、一重織部１１が介在して配置され、且つ第２構成糸が織り込まれた方向においては、複数組設けられた対向する袋織部の間に、一重織部１１ｂが介在して配置されており、第１構成糸が織り込まれた方向及び第２構成糸が織り込まれた方向の端縁部の全てが一重織部１１ａ、１２により構成されている。【選択図】図１
2019143255.tif 000002
【特許請求の範囲】
【請求項１】
経糸及び緯糸のうちの一方を第１構成糸とし、他方を第２構成糸として製織された織物において、
前記第１構成糸の一部が並列に織り込まれた側面発光型光ファイバーであり、
前記織物は、一重織部と複数の袋織部とを具備し、
前記側面発光型光ファイバーは、前記袋織部を構成する一方の織布及び他方の織布のうちのいずれにも織り込まれておらず、
前記袋織部は、前記第１構成糸が織り込まれた方向において対向して位置する袋織部を備え、前記対向して位置する袋織部は、前記第２構成糸が織り込まれた方向に複数組設けられており、
前記対向して位置する袋織部の各々の袋織部の間には、前記一重織部が介在して配置され、且つ前記第２構成糸が織り込まれた方向においては、複数組設けられた前記対向して位置する袋織部の間に、前記一重織部が介在して配置されており、
前記織物の前記第１構成糸が織り込まれた方向及び前記第２構成糸が織り込まれた方向の端縁部は、前記一重織部により構成されていることを特徴とする織物。
【請求項２】
前記第１構成糸は前記緯糸である請求項１に記載の織物。
【請求項３】
前記第１構成糸が織り込まれた方向において、前記袋織部の間には、前記織物が表皮材として用いられるときに意匠面を形成する長尺の前記一重織部が配置されている請求項１又は２に記載の織物。
【請求項４】
前記表皮材が内装材の表皮層として用いられる請求項１乃至３のうちのいずれか１項に記載の織物。
【請求項５】
請求項１乃至４のうちのいずれか１項に記載の織物を用いた表皮材の製造方法であって、
前記第２構成糸が織り込まれた方向に複数組設けられた前記対向して位置する袋織部の間に介在する前記一重織部を含む一重織部を、前記第１構成糸が織り込まれた方向に切断し、複数枚の表皮材用織物を形成する切断工程と、
前記表皮材用織物が備える前記対向して位置する袋織部を構成する前記一方の織布及び前記他方の織布を切除する切除工程と、を備えることを特徴とする表皮材の製造方法。
【請求項６】
前記切除工程の後、前記第１構成糸が織り込まれた方向における前記表皮材用織物の両端縁部の前記一重織部を除去する除去工程を備える請求項５に記載の表皮材の製造方法。
【請求項７】
上記除去工程の後、露出した前記側面発光型光ファイバーを束ねる結束工程を備える請求項６に記載の表皮材の製造方法。
【発明の詳細な説明】
【技術分野】
【０００１】
本発明は、織物及びこの織物を用いた表皮材の製造方法に関する。更に詳しくは、本発明は、側面発光型光ファイバー及び合成樹脂フィラメント等を構成糸として用いて製織された織物、及びこの織物を用いて、内装材の意匠面を形成する表皮層などとして使用することができる表皮材の製造方法に関する。
【背景技術】
【０００２】
インターネットの普及等とともに、光通信などの技術分野において光ファイバーの使用が拡大している。また、一端から入射した光を他端に導いて光を伝送させることができるという光ファイバーの特性に基づき、各種の照明及びディスプレー等の用途でも用いられている。
【０００３】
更に、経糸又は緯糸として光ファイバーと普通糸とが織り込まれた光ファイバー織物と、光ファイバーの少なくとも一端部に光を照射する光源とを備え、光源からの光を光ファイバー内に入光させることにより、ドアトリム、小物部品等の自動車内装部品として利用することができる照明装置として機能する光ファイバー織物が知られている（例えば、特許文献１参照。）。そして、この光ファイバー織物では、光ファイバーと普通糸とを規則的に織り込み、織組織及び発光輝度を所定の状態に制御することにより、光ファイバー織物の発光ムラを低減することができると説明されている。
【０００４】
更に、経糸及び緯糸のうちの一方を第１構成糸とし、他方を第２構成糸とした織物であって、第１構成糸は、光ファイバー糸と非導光糸とを有し、第２構成糸は、非導光糸のみを有する織物が知られている（例えば、特許文献２参照）。そして、この織物では、例えば、袋織部を設けることで、離間可能な光ファイバー層と裏保護層とを有し、意匠織物を加工するときは光ファイバーを保護することができ、その後、裏保護層を切除し、光ファイバーを織物から容易に露出させることができる。即ち、優れた保護機能と優れた作業性とを両立させることができると説明されている。
【先行技術文献】
【特許文献】
【０００５】
【特許文献１】特開２０１０−２６７５７３号公報
【特許文献２】特開２０１７−２１０６９９号公報
【発明の概要】
【発明が解決しようとする課題】
【０００６】
特許文献１に記載された光ファイバー照明装置に用いられる光ファイバー織物では、織組織及び発光輝度を所定の状態に制御することにより、発光ムラを低減することができる。また、特許文献１の図１〜３には、光ファイバーの露出端を集結させた形態が図示されているが、織物の端部に光ファイバーを露出させるためには、光ファイバーと交絡している普通糸を引き抜く必要があると考えられる。しかし、普通糸を引き抜くには、工数と時間とを要するとともに、普通糸を引き抜くときに光ファイバーを傷付けてしまうこともある。
【０００７】
更に、特許文献２に記載された織物では、袋織部により形成される裏保護層を切除し、光ファイバーを織物から露出させることができる。しかし、袋織部では、製織及び後処理等された織物が室温近傍の温度に降温したとき、合成樹脂製フィラメントは収縮するものの、光ファイバーには寸法変化がないため、光ファイバーは袋織部で蛇行することになり、裏保護層を切除する際、誤って光ファイバーを傷付けたり、切断してしまうことが有り得る。その結果、この光ファイバーは発光に寄与せず、内装材の表皮材等として用いたときに、意匠性が低下してしまうことになる。
【０００８】
本発明は、上述の従来技術の状況に鑑みてなされたものであり、構成糸の一部に側面発光型光ファイバーを用いるとともに、所要個所において側面発光型光ファイバーを傷付けたり、切断したりすることなく露出させることができる織物を提供することを目的とする。また、この織物を用いて、側面発光型光ファイバーを傷付けたり、切断したりすることなく、内装材等の表皮層としたときに、優れた意匠性を有する表皮層を形成することができる表皮材の製造方法を提供することを目的とする。
【課題を解決するための手段】
【０００９】
本発明は、以下のとおりである。
１．経糸及び緯糸のうちの一方を第１構成糸とし、他方を第２構成糸として製織された織物において、
前記第１構成糸の一部が並列に織り込まれた側面発光型光ファイバーであり、
前記織物は、一重織部と複数の袋織部とを具備し、
前記側面発光型光ファイバーは、前記袋織部を構成する一方の織布及び他方の織布のうちのいずれにも織り込まれておらず、
前記袋織部は、前記第１構成糸が織り込まれた方向において対向して位置する袋織部を備え、前記対向して位置する袋織部は、前記第２構成糸が織り込まれた方向に複数組設けられており、
前記対向して位置する袋織部の各々の袋織部の間には、前記一重織部が介在して配置され、且つ前記第２構成糸が織り込まれた方向においては、複数組設けられた前記対向して位置する袋織部の間に、前記一重織部が介在して配置されており、
前記織物の前記第１構成糸が織り込まれた方向及び前記第２構成糸が織り込まれた方向の端縁部は、前記一重織部により構成されていることを特徴とする織物。
２．前記第１構成糸は前記緯糸である前記１．に記載の織物。
３．前記第１構成糸が織り込まれた方向において、前記袋織部の間には、前記織物が表皮材として用いられるときに意匠面を形成する長尺の前記一重織部が配置されている前記１．又は２．に記載の織物。
４．前記表皮材が内装材の表皮層として用いられる前記１．乃至３．のうちのいずれか１項に記載の織物。
５．前記１．乃至４．のうちのいずれか１項に記載の織物を用いた表皮材の製造方法であって、
前記第２構成糸が織り込まれた方向において、前記対向して位置する袋織部の間に介在する前記一重織部を含む一重織部を、前記第１構成糸が織り込まれた方向に切断し、表皮材用織物を形成する切断工程と、
前記表皮材用織物が備える前記対向して位置する袋織部を構成する前記一方の織布及び前記他方の織布を切除する切除工程と、を備えることを特徴とする表皮材の製造方法。
６．前記切除工程の後、前記第１構成糸が織り込まれた方向における前記表皮材用織物の両端縁部の前記一重織部を除去する除去工程を備える前記５．に記載の表皮材の製造方法。
７．上記除去工程の後、露出した前記側面発光型光ファイバーを束ねる結束工程を備える前記６．に記載の表皮材の製造方法。
【発明の効果】
【００１０】
本発明の織物は、第１構成糸の一部が並列に織り込まれた側面発光型光ファイバーであり、一重織部と複数の袋織部とを具備し、袋織部は、第１構成糸が織り込まれた方向において対向して位置する袋織部を備え、この袋織部は、第２構成糸が織り込まれた方向において複数組設けられている。そして、対向して位置する袋織部の間、及び第２構成糸が織り込まれた方向においては、複数組設けられた対向して位置する袋織部の間、に一重織部が介在している。
これにより、織物を内装材の表皮層を形成する表皮材等として用いるときに、袋織部の一方及び他方の織布を切除して容易に側面発光型光ファイバーを露出させることができる。その際、袋織部の側端部が一重織部により支持されているため、側面発光型光ファイバーを傷付けたり、切断したりすることなく露出させることができ、優れた意匠性を有する表皮材等とすることができる。
また、第１構成糸が緯糸である場合は、合成樹脂フィラメント等と比べて剛性が高いなどの理由で側面発光型光ファイバーを、緯糸として容易に、且つ効率よく織り込むことができる。
更に、第１構成糸が織り込まれた方向において、袋織部の間に、織物が表皮材として用いられるときに意匠面を形成する長尺の一重織部が配置されている場合は、織物の全表面のうちの多くを意匠面として利用することができ、表皮材として極めて有用である。
また、表皮材が内装材の表皮層として用いられる場合は、車両用等の大型の内装材であっても、全面が優れた意匠性を有する表皮層を容易に形成することができる表皮材として有用である。
【００１１】
本発明の表皮材の製造方法は、第２構成糸が織り込まれた方向において、対向して位置する袋織部の間に介在する一重織部を含む一重織部を、第１構成糸が織り込まれた方向に切断し、表皮材用織物を形成する切断工程と、表皮材用織物が備える袋織部を構成する一方の織布及び他方の織布を切除する切除工程と、を備える。
これにより、１枚の織物から複数枚の表皮材用織物を得ることができるとともに、表皮材用織物は長さ方向及び幅方向の側端部の全てが一重織部により支持されているため、袋織部を構成する一方の織布及び他方の織布を切除するときに、側面発光型光ファイバーを傷付けたり、切断したりすることがなく、全ての側面発光型光ファイバーを意匠面の形成に利用することができ、所定の意匠面とすることができる。
また、切除工程の後、第１構成糸が織り込まれた方向における表皮材用織物の両端縁部の一重織部を除去する除去工程を備える場合は、袋織部内の側面発光型光ファイバーのみでなく、袋織部より端部側の一重織部に織り込まれていた側面発光型光ファイバーも有効に活用することができる。
更に、除去工程の後、露出した側面発光型光ファイバーを束ねる結束工程を備える場合は、露出した側面発光型光ファイバーが十分な長さを有することもあって、所要本数の側面発光型光ファイバーを容易に一体に束ねることができ、結束された側面発光型光ファイバーの端面に光源からの光を照射することで、側面発光型光ファイバーを発光させ、所定の意匠面を形成することができる。
【図面の簡単な説明】
【００１２】
【図１】本発明の織物の一例を表す模式的な平面図である。
【図２】図１の織物のＡ−Ａ断面を表す模式的な断面図である。
【図３】図１の織物の長さ方向の一方の端部側を拡大して表す模式的な平面図である。
【図４】図１の織物が幅方向の中央部において長さ方向に切断されたときの一方の織物を表す模式的な平面図である。
【図５】図４の織物の一方の端部側の袋織部の一方の織布及び他方の織布を切除し、側面発光型光ファイバーを露出させる工程を表す模式的な説明図である。
【図６】図５の織物の端縁部等の一重織部を引き抜いて除去する工程を表す模式的な説明図である。
【図７】図６の織物において端部側に露出した複数本の側面発光型光ファイバーの各々の端部を束ねて結束した形態を表す模式的な説明図である。
【図８】図７の織物において結束された側面発光型光ファイバー束の端面に光源からの光を照射し、織物が発行している様子を表す模式的な説明図である。
【発明を実施するための形態】
【００１３】
以下、本発明を、図も参照しながら詳しく説明する。
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１４】
［１］織物
本発明の織物１０（図１、図１のＡ−Ａ断面を表す図２及び図１の一部を拡大して表す図３参照）は、経糸及び緯糸のうちの一方を第１構成糸とし、他方を第２構成糸として製織された織物１０において、第１構成糸の一部が並列に織り込まれた側面発光型光ファイバー３である。また、織物１０は、一重織部１１、１１ａ、１１ｂ、１２と複数の袋織部２とを具備し、側面発光型光ファイバー３は、袋織部２を構成する一方の織布２１ａ及び他方の織布ｂのうちのいずれにも織り込まれていない（図２参照）。
【００１５】
更に、袋織部２は、第１構成糸が織り込まれた方向において対向して位置する袋織部２（図１、２参照）を備え、これらの袋織部２は、第２構成糸が織り込まれた方向に複数組設けられている（図１、３では２組）。また、対向して位置する袋織部２の各々の袋織部２の間には、一重織部１１が介在して配置されている。更に、第２構成糸が織り込まれた方向においては、各々の袋織部２の外側部となる位置に一重織部１１ａが配置され、複数組設けられた対向して位置する袋織部２の間には、一重織部１１ｂが介在して配置されている（図１、３参照）。また、織物１０の第１構成糸が織り込まれた方向の端縁部は一重織部１２により構成されている。このように、織物１０の周縁部の全てが一重織部により構成されている（図１参照）。尚、一重織部１１ａ、１１ｂ、１２を除く他部は、一重織部１１であるとする。
【００１６】
第１構成糸のうちの側面発光型光ファイバー３を除く他の構成糸、及び第２構成糸としては、例えば、合成樹脂フィラメント等の、通常、織物１０に用いられる構成糸を使用することができる。また、一部が側面発光型光ファイバー３である第１構成糸、及び第２構成糸の各々は、経糸として織り込まれていてもよく、緯糸として織り込まれていてもよいが、側面発光型光ファイバー３は合成樹脂フィラメント等と比べて剛直であることもあって、側面発光型光ファイバー３は緯糸として織り込まれることが好ましい。
【００１７】
織物１０は、一重織部１１、１１ａ、１１ｂ、１２と複数の袋織部２とを具備する。一重織部の織組織は、１／２組織、２／１組織、２／２組織、２／３組織、３／２組織、３／３組織、３／４組織等とすることができる。更に、一重織部１１、１１ａ、１１ｂの織物組織も特に限定されず、平織組織、斜子組織、斜文組織、朱子組織等の各種の織物組織とすることができる。より具体的には、２／２平組織、３／３平組織、１／２斜子組織、２／１斜子組織、３／３斜子組織等とすることができる。
【００１８】
袋織部２は、二重織りにより形成され、一方の織布２１ａ及び他方の織布２１ｂを備える（図２参照）。袋織部２の織組織は特に限定されず、１／１袋組織、１／２袋組織、２／１袋組織、２／２袋組織、２／３袋組織、３／２袋組織、３／３袋組織等とすることができる。また、各々の織布の織物組織も特に限定されず、例えば、平織組織、斜子組織、斜文組織、朱子組織等の各種の織物組織とすることができる。
【００１９】
光ファイバーは、通常、コア層とクラッド層とから構成されており、コア層の外周をクラッド層が被覆した構造を有する。また、コア層及びクラッド層は、それぞれ単層でもよく、複数層が積層された形態であってもよい。そして、コア層及びクラッド層の各々の材質、屈折率、反射率等により、側面から適度に漏光し、発光する側面発光型光ファイバー３とすることができる。具体的には、例えば、コア層に散乱物質を配合することにより、コア層とクラッド層との境界部での全反射を生じることなく、側面から散乱光が漏光するものが挙げられ、クラッド層の一部が除去されて、側面から漏光するものを用いることもできる。
【００２０】
光ファイバーとしては、樹脂製光ファイバー、石英系光ファイバー等の各種のものがあるが、本発明では、例えば、合成樹脂フィラメント等とともに、織物１０の経糸又は緯糸、特に緯糸として織り込まれる側面発光型光ファイバー３である。そのため、通常、柔軟で曲げ衝撃性等に優れ、容易に製織することができる樹脂製の側面発光型光ファイバー３が用いられる。
【００２１】
また、既存の樹脂製光ファイバー等の側面発光型光ファイバー３の直径は０．１〜１０ｍｍ程度であるが、製織のし易さ、発光ムラの低減、又は汎用性の観点から、直径が０．１５〜１．５ｍｍ、特に０.１５〜１．０ｍｍ、更に０．１５〜０．４ｍｍの側面発光型光ファイバー３を用いることが好ましい。更に、樹脂製の側面発光型光ファイバー３の繊度は、コア層及びクラッド層を構成する各々の樹脂の種類にもよるが、例えば、直径が０．２５ｍｍであるときに、繊度が略６０７ｄｔｅｘの側面発光型光ファイバー３が挙げられ、好ましい繊度の範囲は、合成樹脂フィラメント等の繊度との好ましい繊度比により設定すればよい。
【００２２】
樹脂製光ファイバーのコア層としては、ポリメチルメタクリレート、ポリエチルメタクリレート、ポリエチルアクリレート等のアクリル樹脂、ポリカーボネート樹脂、ポリスチレン樹脂、及びポリオレフィン系樹脂等の優れた透明性を有する樹脂が用いられていることが好ましい。更に、クラッド層としては、フッ化ビニリデン樹脂、フッ化ビニリデンテトラフルオロエチレン共重合樹脂、ポリクロロトリフルオロエチレン樹脂、トリフルオロイソプロピルメタクリレート樹脂等の優れた透明性を有するとともに、コア層より屈折率が小さい樹脂が用いられていることが好ましい。
【００２３】
第１構成糸のうちの側面発光型光ファイバー３を除く他の構成糸、及び第２構成糸としては、例えば、合成樹脂フィラメント等の、通常、織物１０に用いられる構成糸を使用することができる。合成樹脂フィラメントはマルチフィラメントであってもよく、モノフィラメントであってもよいが、マルチフィラメントが多用される。合成樹脂フィラメントの繊度も特に限定されず、側面発光型光ファイバー３の繊度（径）等を勘案し、製織のし易さ、織物１０の強度等の物性などを考慮して設定すればよい。
【００２４】
合成樹脂フィラメントの材質も特に限定されず、各種の合成樹脂からなるフィラメントを用いることができる。この合成樹脂としては、ポリエチレンテレフタレート、ポリブチレンテレフタレート、ポリトリメチレンテレフタレート等のポリエステル系樹脂、ナイロン６、ナイロン６６等のポリアミド系樹脂、ポリアクリル系樹脂、ポリプロピレン等のポリオレフィン系樹脂などが挙げられる。合成樹脂としては、特にポリエステル系樹脂及びポリアミド系樹脂が好ましい。
【００２５】
第１構成糸の一部として織り込まれる側面発光型光ファイバー３の、織り込まれる間隔は、織物１０を表皮材等として用いるときの意匠面の形成、及び製織のし易さなどを考慮し、適宜設定することができる。また、側面発光型光ファイバー３は、他の第１構成糸の間に１本のみが織り込まれていてもよく、数本の側面発光型光ファイバー３が連続して織り込まれていてもよい。連続して織り込まれるときの側面発光型光ファイバー３の本数は、特に限定されないが、表皮材等として用いたときの意匠性、及び織物１０としての形態、強度等の観点で、合成樹脂フィラメント等がマルチフィラメントであるときは、２〜５本とすることができ、３〜４本であることが好ましい。
【００２６】
一方、合成樹脂フィラメント等がモノフィラメントであるときは、その光沢を利用し、側面発光型光ファイバー３の光を反射させて十分な輝度を確保することができる。そのため、他の第１構成糸の間に織り込まれる側面発光型光ファイバー３は１本でもよい。更に、連続して織り込まれるときの本数は、マルチフィラメントであるときと比べて少なくすることができ、２〜３本とすることができる。また、モノフィラメントであれば、側面発光型光ファイバー３が２本であっても、更には１本であっても、意匠性に優れ、見栄えの良い表皮材等とすることができる。
【００２７】
更に、製織に用いる織機は特に限定されない。この織機としては、例えば、レピア織機（伊国、イテマウィービング社製、型式「Ｇ６５００、Ｒ９５００」）、ジャカード織機（仏国、ストーブリ社製、型式「ＣＸ８８０、ＤＸ１１０、ＬＸ１６０２、ＳＸＢ」）、ドビー織機（仏国、ストーブリ社製、型式「ＵＶＩＶＡＬ５００」）等が挙げられる。これらの織機により、所定の構成の織物１０を特に問題なく製織することができる。
【００２８】
［２］表皮材の製造方法
本発明の表皮材の製造方法は、織物１０を用いた表皮材の製造方法であって、第２構成糸が織り込まれた方向に複数組設けられた対向して位置する袋織部２の間に介在する一重織部１１ｂを含む一重織部１１、１２を、第１構成糸が織り込まれた方向に切断し、複数枚の表皮材用織物１０ａを形成する切断工程と、表皮材用織物１０ａが備える対向して位置する袋織部２を構成する一方の織布２１ａ及び他方の織布２１ｂを切除する切除工程と、を備える。
【００２９】
表皮材用織物１０ａ（図４参照）の、第１構成糸が織り込まれた方向の寸法、及び第２構成糸が織り込まれた方向の寸法は、表皮材が用いられる、例えば、車両用内装材等の種類によって設定することができる。また、表皮材用織物１０ａの平面方向の寸法は、用いる織機の仕様、性能による制約もある。表皮材用織物１０ａの第１構成糸が織り込まれた方向の寸法は、製織時の織物１０の幅であり、例えば、１００〜３００ｃｍ、特に１５０〜２５０ｃｍとすることができる。一方、第２構成糸が織り込まれた方向の寸法は、例えば、５０〜１５０ｃｍ、特に８０〜１２０ｃｍとすることができる。
【００３０】
更に、一重織部１１ｂの幅は特に限定されないが、１０〜３０ｍｍ、特に１５〜２５ｍｍとすることができる。一重織部１１ｂを含む一重織部１１、１２を、第１構成糸が織り込まれた方向に切断する方法も特に限定されないが、例えば、トムソン刃等を用いる方法が挙げられる。トムソン刃は±２ｍｍの精度で切断位置を制御することができ、一重織部１１ｂを含む一重織部１１、１２を幅方向の中央部で切断してもよいし、対向して位置する袋織部２の側端面から所定寸法離間した位置で切断してもよい。但し、対向して位置する袋織部２の側端面からの一重織部１１ｂを含む一重織部１１、１２の幅方向の寸法が過少であると、袋織部２を構成する一方の織布２１ａ及び他方の織布２１ｂを切除するときに、切除箇所を十分に支持することができず、側面発光型光ファイバー３を傷付けたり、切断することがあるため好ましくない。
【００３１】
また、一重織部１２の第１構成糸が織り込まれる方向における寸法は特に限定されないが、表皮材用織物１０ａを表皮材として用いるときには不要となる箇所であるため、表皮材の用途等にもよるが、５ｍｍ以上、特に１０ｍｍ以上（１００ｍｍ以下、特に５０ｍｍ以下）とすることができる。この寸法が５ｍｍ未満であると、袋織部２を構成する一方の織布２１ａ及び他方の織布２１ｂを切除するときに、切除箇所を十分に支持することができず、側面発光型光ファイバー３を傷付けたり、切断することがあるため、好ましくない。
【００３２】
織物１０の製織時には第１構成糸及び第２構成糸に張力が加わるため、側面発光型光ファイバー３及び他の構成糸、例えば、合成樹脂フィラメント等に緩みはない。一方、製織後は張力がなくなるため、合成樹脂フィラメント等は収縮するが、側面発光型光ファイバー３には寸法変化がないか、寸法変化が極めて小さい。そのため、製織後の織物１０では、図１〜３のように、袋織部２の内部では側面発光型光ファイバー３は蛇行することになる。この場合、一重織部１１ｂの幅、及び一重織部１２の第１構成糸が織り込まれる方向における寸法を上述のようにすることで、表皮材用織物１０ａを十分に支持することができ、側面発光型光ファイバー３が蛇行したとしても、側面発光型光ファイバー３を傷付けたり、切断することを防止することができる。
【００３３】
本発明の表皮材の製造方法は、表皮材用織物１０ａを形成するための切断工程の後、表皮材用織物１０ａが備える第１構成糸が織り込まれる方向において対向して位置する袋織部２を構成する一方の織布２１ａ及び他方の織布２１ｂを切除する切除工程を備える（図５参照）。織布２１ａ及び織布２１ｂは、一重織部１１、１２から少し離間した位置において、第２構成糸が織り込まれた方向に略直線状に切断し、切除することができる。織布２１ａ及び織布２１ｂは、いずれも柔軟な織布であり、切除方法は特に限定されず、通常の刃物等によって手動又は自動手段によって、容易に切除することができる。
【００３４】
更に、織布２１ａ及び織布２１ｂを切除するときに、一重織部１１、１２から少し離間した位置において切断する必要があるが、離間寸法は特に限定されず、３〜１０ｍｍ、特に４〜７ｍｍとすることができる。この離間距離が、例えば、５ｍｍであれば、側面発光型光ファイバー３を傷付けたり、切断することはなく、他の構成糸のみを切断し、織布２１ａ及び織布２１ｂを容易に切除することができる。
【００３５】
本発明の表皮材の製造方法は、織布２１ａ及び織布２１ｂを切除する切除工程の後、通常、第１構成糸が織り込まれた方向における表皮材用織物１０ａの両端縁部の一重織部１２を除去する除去工程を備える（図６参照）。これにより、側面発光型光ファイバー３は、他の構成糸による拘束が全くなくなる。この際、図６のように、一重織部１１ａ及び一重織部１１ｂを、符号ａが指す位置で一重織部１１と切断し、一重織部１２と一重織部１１ａ、１２とを一体に除去することが好ましい。このようにすれば、一重織部１２を引き抜くことで、一重織部１１ａ、１２を同時に除去することができる。尚、一重織部１１ａ、１１ｂと一重織部１２との境界部で切断し、一重織部１２を除去してもよいが、その場合、不要である一重織部１１ａ、１１ｂを切断し、除去する工程が必要となる。
【００３６】
更に、本発明の表皮材の製造方法は、表皮材用織物１０ａの両端縁部の一重織部１２を除去する除去工程の後、露出した側面発光型光ファイバー３を束ねる結束工程を備える（図７参照）。表皮材用織物１０ａに織り込まれた側面発光型光ファイバー３を発光させるためには、複数本の側面発光型光ファイバー３が束ねられ、その端面と対向する位置に光源５が配置される（図８参照）。光源５は特に限定されないが、通常、ＬＥＤが用いられる。そして、束ねられた側面発光型光ファイバー３の端面に向けてＬＥＤから光を照射させ、導光させることで、側面発光型光ファイバー３を発光させることができる（図８に３本１組の実線が４組描かれているが、これらの実線は発光していることを表す）。
【００３７】
また、複数本の側面発光型光ファイバー３の露出部を束ねる場合、表皮材の用途、寸法等によって、所定本数の側面発光型光ファイバー３が束ねられ、複数の側面発光型光ファイバー束４とされる（図７参照）。多くの本数の側面発光型光ファイバー３を束ね、側面発光型光ファイバー束４を少なくすれば、光源５も多くを必要としない。しかし、多くの本数の側面発光型光ファイバー３を束ねるためには、露出している側面発光型光ファイバー３を長寸法とする必要があり、束ねる作業も容易ではない。そのため、第２構成糸が織り込まれた方向において、通常、１０〜２０ｃｍ、特に１２〜２２ｃｍ幅に１個の側面発光型光ファイバー束４が形成される。
【００３８】
表皮材用織物１０ａは、車両内装材、建築用内装材等の内装材の表皮層を形成するための表皮材として用いることができる。この場合、表皮材用織物１０ａと、合成樹脂製の成形体である基材とを、成形型を用いて加熱、加圧するプレス成形法等により、内装材とすることができる。内装材としては、ドアトリム、ルーフトリム等の車両用内装材などが挙げられる。更に、基材の成形に用いられる合成樹脂は特に限定されず、ポリエチレン、ポリプロピレン等のポリオレフィン系樹脂、及びナイロン６、ナイロン６６等のポリアミド系樹脂が用いられる。これらの合成樹脂のうちでは、成形のし易さ、強度等の観点でポリプロピレンが好ましい。また、剛性等の物性を向上させるため、ガラス繊維、カーボン繊維等が配合された繊維強化樹脂を用いることもできる。
【００３９】
尚、前述の記載は単に説明を目的とするものでしかなく、本発明を限定するものと解釈されるものではない。本発明を典型的な実施形態を挙げて説明したが、本発明の記述及び図示において使用された文言は、限定的な文言ではなく、説明的および例示的なものであると理解される。ここで詳述したように、その形態において本発明の範囲又は精神から逸脱することなく、添付の特許請求の範囲内で変更が可能である。ここでは、本発明の詳述に特定の構造、材料及び実施形態を参照したが、本発明をここにおける開示事項に限定することを意図するものではなく、寧ろ、本発明は添付の特許請求の範囲内における、機能的に同等の構造、方法、使用の全てに及ぶものとする。
【産業上の利用可能性】
【００４０】
本発明は車両内装材、建築用内装材等の内装材に係る技術分野において利用することができる。特に、乗用車、バス、トラック等の他、列車、汽車等の鉄道車両、建設車両、農業車両、産業車両などで用いられる車両内装材の技術分野において好適に利用することができる。
【符号の説明】
【００４１】
１０；織物、１０ａ；表皮材用織物、１１、１１ａ、１１ｂ、１２；一重織部、２；袋織部、２１ａ；一方の織布、２１ｂ；他方の織布、３；側面発光型光ファイバー、４；側面発光型光ファイバー束、５；光源。
【図１】
2019143255.tif 000003
【図２】
2019143255.tif 000004
【図３】
2019143255.tif 000005
【図４】
2019143255.tif 000006
【図５】
2019143255.tif 000007
【図６】
2019143255.tif 000008
【図７】
2019143255.tif 000009
【図８】
2019143255.tif 000010